(57)【要約】      （修正有）【解決手段】水和物化合物を用いた水素発生剤の場合、水酸化Ｎａ二水和物等のアルカリ性化合物の水和物を水素発剤として、ＰＴＰシート内にシールして分泡し、金属Ａｌ等のアルカリ性溶液と反応して水素ガスを発生する金属と共に不織布等のガス透過膜内に密封し、飲用水に加える直前に、ＰＴＰシートを押し破り、両試薬を混合し、押し破り、ボトル内飲用水内に沈め、飲用水のボトル内で水素ガス発生反応を開始させ、水素水作成過程をスピードアップさせ、新たに反応用の水を加えることなく、飲むための水素水を迅速かつ簡便に作成する方法。【効果】前記水和物化合物を用いた水素発生剤の場合、毎回の水素水作成を極めて簡便に行うことができるので、炎症性疾患などを予防することができる高濃度水素水を日々摂取するための、一つのハードルであった水素水作成手順を大きく簡略化できる。【選択図】なし【特許請求の範囲】
【請求項１】
本発明の水和物化合物を用いた水素発生剤の成分として、例えばアルカリ性化合物の水和物を用いる。ＰＴＰシート内にシールして分包しておき、例えば金属アルミニウムなどのアルカリ性溶液と反応して水素ガスを発生する金属とともに不織布などのガス透過膜内に密封し、５００ｍｌのペットボトルに充填した飲用水に加える直前に、不織布内のＰＴＰシートを押し破り、金属とアルカリ性化合物の水和物を混合し、不織布内に封じた本発明の水和物化合物を用いた水素発生剤を沈めた飲用水のボトルを密封させ、水素発生反応を開始させ、水素ガスを飲用水内に溶存させる方法。
【請求項２】
本発明の水和物化合物を用いた水素発生剤の成分として、例えば酸性化合物の水和物を用いる。ＰＴＰシート内にシールして分包しておき、例えば金属アルミニウムなどの酸性溶液と反応して水素ガスを発生する金属とともに不織布などのガス透過膜内に密封し、５００ｍｌのペットボトルに充填した飲用水に加える直前に、不織布内のＰＴＰシートを押し破り、金属と酸性化合物の水和物を混合し、不織布内に封じた本発明の水和物化合物を用いた水素発生剤を沈めた飲用水のボトルを密封させ、水素発生反応を開始させ、水素ガスを飲用水内に溶存させる方法。
【請求項３】
本発明の水和物化合物を用いた水素発生剤の成分として、水酸化ナトリウム二水和物を用いる。ＰＴＰシート内にシールして分包しておき、金属アルミニウムとともに不織布などのガス透過膜内に密封し、５００ｍｌのペットボトルに充填した飲用水に加える直前に、不織布内のＰＴＰシートを押し破り、例えば金属アルミニウムと水酸化ナトリウム二水和物を混合し、不織布内に封じた本発明の水和物化合物を用いた水素発生剤を沈めた飲用水のボトルを密封させ、水素発生反応を開始させ、水素ガスを飲用水内に溶存させる方法。
【請求項４】
本発明の水和物化合物を用いた水素発生剤の成分として、水酸化カルシウムあるいは酸化カルシウムに水を加え、水分子含有水酸化カルシウムとし、これを用いる。ＰＴＰシート内にシールして分包しておき、例えば金属アルミニウムとともに不織布などのガス透過膜内に密封し、５００ｍｌのペットボトルに充填した飲用水に加える直前に、不織布内のＰＴＰシートを押し破り、例えば金属アルミニウムと水分子含有水酸化カルシウムを混合し、不織布内に封じた本発明の水和物化合物を用いた水素発生剤を沈めた飲用水のボトルを密封させ、水素発生反応を開始させ、水素ガスを飲用水内に溶存させる方法。
【請求項５】
本発明の水和物化合物を用いた水素発生剤の成分として、酢酸カルシウム水和物、クエン酸カルシウム水和物、ピロリン酸ナトリウム水和物、ピロリン酸カルシウム水和物あるいはアスコルビン酸カルシウム水和物を用いる。ＰＴＰシート内にこれらをシールして分包しておき、例えば金属アルミニウムとともに不織布などのガス透過膜内に密封し、５００ｍｌのペットボトルに充填した飲用水に加える直前に、不織布内のＰＴＰシートを押し破り、金属アルミニウムと、酢酸カルシウム水和物、クエン酸カルシウム水和物、ピロリン酸ナトリウム水和物、ピロリン酸カルシウム水和物あるいはアスコルビン酸カルシウム水和物などとを混合し、不織布内に封じた本発明の水和物化合物を用いた水素発生剤を沈めた飲用水のボトルを密封させ、水素発生反応を開始させ、水素ガスを飲用水内に溶存させる方法。
【請求項６】
上記〔請求項３および５〕の水和物化合物および水素発生金属に加え、水酸化カルシウムを不織布内に同梱しておく本発明の水和物化合物を用いた水素発生剤。
【発明の詳細な説明】
【発明の概要】
【発明が解決しようとする課題】水素発生剤は、例えばアルミニウムやマグネシウムなどの金属にアルカリ性化合物あるいは酸性化合物と水分子を反応させるものが多く、例えば水素水を作成するための水素分子発生剤は、飲用水に加える場合、飲用水に上記化合物が溶解しないように、隔離された区分において、水素分子を発生させ、水素ガスのみが飲用水に接し、溶けるようにする必要があった。この場合、水素発生剤の水素発生開始時に、同剤に反応用の水を加えるのが一般的であったが、この一連の作業は、飲用水と別途、水を発生剤に加えるというステップが必要であり、煩雑でかつ時間を要した。また、飲用水から隔離された水素発生剤に、徐々に水分子を移行させる方法もあるが、その場合、水素発生剤の成分が飲用水に移行しないように隔離するための素材に例えば不織布などのガス透過膜を用いていることが多いため、飲用水から水素発生剤に水素ガスを発生させるのに十分な水分子を移行させるのに、時間がかかった、すなわち、飲むための水素水を迅速に作成することが困難であった。
【問題を解決するための手段】
本発明の水和物化合物を用いた水素発生剤の場合、例えばアルミニウムなどの金属に、水酸化ナトリウムなどのアルカリを反応させるが、この水酸化ナトリウムとして、水和物を用いることによって、別途、反応用の水を添加する必要がない。ただし、本発明の場合、アルミニウムなどの金属と、水酸化ナトリウムなどのアルカリを隔離した上で、不織布などのガス透過膜内に同梱する必要がある。その方法として、例えば、水酸化ナトリウム水和物を、錠剤梱包用のＰＴＰシートにシールして分包しておき、アルミニウムとともにガス透過膜内に密封し、飲用水に加える直前に、ＰＴＰシートを押し破り、両試薬を混合し、飲用水のボトルを密封させたのちに、水素発生反応を開始させるものである。
【発明の効果】
本発明の水和物化合物を用いた水素発生剤の場合、例えばアルミニウムなどの金属と、ＰＴＰシート内に隔離された水酸化ナトリウムなどのアルカリを、不織布などのガス透過膜内に同梱してあるので、飲用水に加える直前に、ＰＴＰシートを押し破り、両試薬を混合し、押し破るというワンステップで飲用水のボトル内で水素ガス発生反応を開始させることができるので、水素水作成過程をスピードアップさせることができ、新たに反応用の水を加えることなく、飲むための水素水を迅速かつ簡便に作成することができる。
本発明の水和物化合物を用いた水素発生剤の場合、毎回の水素水作成を極めて簡便に行うことができるので、炎症性疾患などを予防することができる高濃度水素水を日々摂取するための、一つのハードルであった水素水作成手順を大きく簡略化できるので、これまで高濃度水素水を飲むことができなかった高齢者や多忙な消費者がより積極的に摂取できるようになることが期待され、健康長寿を得る上で、あるいはそのための産業界にとっては、極めて有用でかつ、それによって得られるであろう健康を含め、その経済効果は計り知れない。
【実施例】
【００１】水酸化ナトリウム二水和物をＰＴＰシート内にシールして分包しておき、金属アルミニウムとともに不織布などのガス透過膜内に密封し、５００ｍｌのペットボトルに充填した飲用水に加える直前に、不織布内のＰＴＰシートを押し破り、金属アルミニウムと水酸化ナトリウム二水和物を混合し、不織布内に封じた本発明の水和物化合物を用いた水素発生剤を沈めた飲用水のボトルを密封させ、水素発生反応（例えば４Ａｌ＋２ＮａＯＨ＋４Ｈ２Ｏ→２ＮａＡｌＯ２＋２ＡｌＯ＋３Ｈ２を含む）を開始させた。数分から数十分で水素ガスが不織布内で発生し、徐々に飲用水内に移行拡散し、水素ガスが飲用水内に溶存した。【００２】酢酸カルシウム水和物をＰＴＰシート内にシールして分包しておき、金属アルミニウムと水酸化カルシウムの粉末とともに不織布などのガス透過膜内に密封し、５００ｍｌのペットボトルに充填した飲用水に加える直前に、不織布内のＰＴＰシートを押し破り、金属アルミニウム、水酸化カルシウムと酢酸カルシウム水和物を混合し、不織布内に封じた本発明の水和物化合物を用いた水素発生剤を沈めた飲用水のボトルを密封し、水素発生反応を開始させた。数分から数十分で水素ガスが不織布内で発生し、徐々に飲用水内に移行拡散し、水素ガスが飲用水内に溶存した。【００３】酢酸カルシウム水和物をＰＴＰシート内にシールして分包しておき、金属アルミニウムとともに不織布などのガス透過膜内に密封し、５００ｍｌのペットボトルに充填した飲用水に加える直前に、不織布内のＰＴＰシートを押し破り、金属アルミニウムと酢酸カルシウム水和物を混合し、不織布内に封じた本発明の水和物化合物を用いた水素発生剤を沈めた飲用水のボトルを密封し、水素発生反応を開始させた。数分から数十分で水素ガスが不織布内で発生し、徐々に飲用水内に移行拡散し、水素ガスが飲用水内に溶存した。【００４】クエン酸カルシウム水和物あるいはアスコルビン酸カルシウム水和物をＰＴＰシート内にシールして分包しておき、金属アルミニウムと水酸化カルシウムの粉末とともに不織布などのガス透過膜内に密封し、５００ｍｌのペットボトルに充填した飲用水に加える直前に、不織布内のＰＴＰシートを押し破り、金属アルミニウム、水酸化カルシウムと、クエン酸カルシウム水和物あるいはアスコルビン酸カルシウム水和物を混合し、不織布内に封じた本発明の水和物化合物を用いた水素発生剤を沈めた飲用水のボトルを密封し、水素発生反応を開始させた。数分から数十分で水素ガスが不織布内で発生し、徐々に飲用水内に移行拡散し、水素ガスが飲用水内に溶存した。【００５】クエン酸カルシウム水和物あるいはアスコルビン酸カルシウム水和物をＰＴＰシート内にシールして分包しておき、金属アルミニウムとともに不織布などのガス透過膜内に密封し、５００ｍｌのペットボトルに充填した飲用水に加える直前に、不織布内のＰＴＰシートを押し破り、金属アルミニウムと、クエン酸カルシウム水和物あるいはアスコルビン酸カルシウム水和物を混合し、不織布内に封じた本発明の水和物化合物を用いた水素発生剤を沈めた飲用水のボトルを密封し、水素発生反応を開始させた。数分から数十分で水素ガスが不織布内で発生し、徐々に飲用水内に移行拡散し、水素ガスが飲用水内に溶存した。【００６】水酸化カルシウムの粉末に水を加えペースト状あるいはシャーベット状あるいはゲル状にし、ＰＴＰシート内にシールして分包しておき、金属アルミニウムとともに不織布などのガス透過膜内に密封し、５００ｍｌのペットボトルに充填した飲用水に加える直前に、不織布内のＰＴＰシートを押し破り、金属アルミニウムと水を含んだ水酸化カルシウムを混合し、不織布内に封じた本発明の水和物化合物を用いた水素発生剤を沈めた飲用水のボトルを密封し、水素発生反応を開始させた。数分から数十分で水素ガスが不織布内で発生し、徐々に飲用水内に移行拡散し、水素ガスが飲用水内に溶存した。
【産業上の利用可能性】本発明の水和物化合物を用いた水素発生剤の場合、例えばアルミニウムなどの金属と、ＰＴＰシート内に隔離された水酸化ナトリウムなどのアルカリを、不織布などのガス透過膜内に同梱してあるので、飲用水に加える直前に、ＰＴＰシートを押し破り、両試薬を混合し、押し破るというワンステップで飲用水のボトル内で水素ガス発生反応を開始させることができるので、水素水作成過程をスピードアップさせることができ、新たに反応用の水を加えることなく、飲むための水素水を迅速かつ簡便に作成することができる。
本発明の水和物化合物を用いた水素発生剤の場合、毎回の水素水作成を極めて簡便に行うことができるので、炎症性疾患などを予防することができる高濃度水素水を日々摂取するための、一つのハードルであった水素水作成手順を大きく簡略化できるので、これまで高濃度水素水を飲むことができなかった高齢者や多忙な消費者がより積極的に摂取できるようになることが期待され、健康長寿を得る上で、あるいはそのための産業界にとっては、極めて有用でかつ、それによって得られるであろう健康を含め、その経済効果は計り知れない。